【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
睡眠期間中の望ましくない姿勢を回避する睡眠姿勢トレーナーであって、前記睡眠姿勢トレーナーは、
少なくとも１つの受信された入力信号に基づいて出力信号を生成するようにプログラムされた制御プログラムを含む制御ユニットと、
睡眠関連イベントを検出するための少なくとも１つのセンサであって、前記センサは、前記制御ユニットに動作可能に接続され、前記制御ユニットに第１の入力信号としてセンサ信号を提供し、前記睡眠姿勢トレーナーを装着している人の身体姿勢を検出するための姿勢センサを備える、センサと、
前記睡眠姿勢トレーナーを装着しているユーザに警告刺激を提供する警告ユニットであって、前記警告ユニットは、前記制御ユニットに動作可能に接続され、前記制御ユニットから生成された前記出力信号を受信し、その後、前記警告刺激が生成される、警告ユニットとを備え、
前記睡眠姿勢トレーナーは、前記ユーザの睡眠期間中に警告を発するための通常動作モードを有し、前記通常動作モードでは、前記制御ユニットは、前記警告ユニットへの出力信号を生成し、前記警告ユニットは、前記姿勢センサによって検出された前記身体姿勢が少なくとも１つの所定の望ましくない身体姿勢に対応する場合、警告刺激を生成し、前記睡眠姿勢トレーナーは、前記睡眠姿勢トレーナーを装着している前記ユーザの不動期間を計時する不動タイマーをさらに備え、前記制御ユニットは、前記姿勢センサによって検出された前記身体姿勢が前記少なくとも１つの所定の望ましくない姿勢以外の身体姿勢と対応する場合、少なくとも１５分の前記不動タイマーの閾値が超過されるとき、前記警告ユニットに出力信号を送信するようにプログラムされる、睡眠姿勢トレーナー。
【請求項２】
前記閾値は所定の閾値である、請求項１に記載の睡眠姿勢トレーナー。
【請求項３】
前記不動タイマーの前記少なくとも１つの閾値は、睡眠期間中に変化する可変閾値であり、前記閾値は、前記ユーザの睡眠期間の進行に対応して調整される、請求項１に記載の睡眠姿勢トレーナー。
【請求項４】
前記睡眠姿勢トレーナーはさらに、
個別ユーザのパーソナル睡眠データを含むユーザ睡眠データを記憶するためのメモリを備え、
前記制御ユニットは、前記ユーザ睡眠データから警告基準を導出して、警告刺激を生成するか否か、及び前記出力信号を前記警告ユニットに送信するか否かを決定するようにプログラムされ、
前記ユーザ睡眠データは、睡眠期間中の前記少なくとも１つの所定の望ましくない姿勢以外の特定の姿勢における前記ユーザの不動期間の持続時間を示す少なくとも１つの閾値を含む前記個別ユーザの不動データを含む、請求項１に記載の睡眠姿勢トレーナー。
【請求項５】
前記不動データは、前記ユーザの少なくとも１つの姿勢に対応する少なくとも１つの閾値を含む、請求項４に記載の睡眠姿勢トレーナー。
【請求項６】
前記不動タイマーの前記少なくとも１つの閾値は、睡眠期間中に変化する可変閾値であり、前記閾値は、前記ユーザの睡眠期間の進行中に記録された姿勢に依存して調整される、請求項４又は５に記載の睡眠姿勢トレーナー。
【請求項７】
前記不動タイマーの前記少なくとも１つの閾値は、前記ユーザの睡眠期間の進行中に特定の姿勢が生じる回数に依存して調整される可変閾値である、請求項６に記載の睡眠姿勢トレーナー。
【請求項８】
前記不動タイマーの前記少なくとも１つの閾値は、前記ユーザの睡眠期間の進行中における特定の姿勢の発生の時間量に依存して調整される到着閾値である、請求項６に記載の睡眠姿勢トレーナー。
【請求項９】
不動データは、前記ユーザの少なくとも１つの所定の睡眠相に対応する少なくとも１つの閾値を含む、請求項１から８のいずれか一項に記載の睡眠姿勢トレーナー。
【請求項１０】
前記不動タイマーの前記少なくとも１つの閾値は、以前の閾値の超過によって生成された刺激に対する特定の反応に依存して調整可能である、請求項１から９のいずれか一項に記載の睡眠姿勢トレーナー。
【請求項１１】
特定の姿勢についての前記不動タイマーの前記閾値は、同じ睡眠期間中に測定された、前記特定の姿勢における以前の持続時間に基づいて調整可能である、請求項５から１０のいずれか一項に記載の睡眠姿勢トレーナー。
【請求項１２】
特定の姿勢について、前記不動タイマーの初期閾値が最初に設定され、前記初期閾値は、前記特定の姿勢から離れている計時された持続時間に基づいて調整可能である、請求項５から１１のいずれか一項に記載の睡眠姿勢トレーナー。
【請求項１３】
前記初期閾値は、前記特定の姿勢から離れている前記計時された持続時間に等しい持続時間、又は、前記特定の姿勢から離れている前記持続時間が前記初期閾値を超える場合は、前記初期閾値をリセットすることによって調整される持続時間によって調整される、請求項１２に記載の睡眠姿勢トレーナー。
【請求項１４】
前記ユーザの不動は、前記姿勢センサ、特に加速度計によって検出可能である、請求項１から１３のいずれか一項に記載の睡眠姿勢トレーナー。
【請求項１５】
前記制御ユニットは、ユーザ睡眠データから警告セレクタを導出して、前記警告ユニットによって生成される特定の警告刺激を決定するようにプログラムされ、前記警告刺激は、互いに異なる複数の警告刺激のグループから選択される、請求項１から１４のいずれか一項に記載の睡眠姿勢トレーナー。
【請求項１６】
警告基準は警告セレクタと一体的であり、選択可能な前記警告刺激のうちの１つはゼロ強度を有する、請求項１から１５のいずれか一項に記載の睡眠姿勢トレーナー。
【請求項１７】
不動データから導出される前記警告セレクタは、睡眠障害イベントの発生の検出の場合に生成されるべき警告刺激とは異なる警告刺激の選択を決定する、請求項１５又は１６に記載の睡眠姿勢トレーナー。
【請求項１８】
ユーザ睡眠データを格納するための前記メモリは、スマートフォンなどの外部装置に配置され、前記外部装置は、前記格納されたユーザ睡眠データから前記警告基準及び／又は警告セレクタを導出することによって前記睡眠姿勢トレーナーを調整するために前記睡眠姿勢トレーナーに動作可能に接続可能である、請求項４から１７のいずれか一項に記載の睡眠姿勢トレーナー。
【請求項１９】
前記センサが高いリスクの睡眠イベントである無呼吸を検出する場合、前記制御ユニットは、他の全てのプログラムを抑えるような支配的なプログラムでプログラムされる、請求項１から１８のいずれか一項に記載の睡眠姿勢トレーナー。
【請求項２０】
前記ユーザ睡眠データは、警告刺激を生成する前の許容可能待機期間を決定する待機データを含む、請求項４から１９のいずれか一項に記載の睡眠姿勢トレーナー。
【請求項２１】
睡眠期間中に人に警告を発する方法であって、前記方法は、
請求項１から２０のいずれか一項に記載の睡眠姿勢トレーナーを提供するステップであって、前記睡眠姿勢トレーナーは、前記ユーザの姿勢を検出するための姿勢センサを含む、ステップと、
睡眠中の前記ユーザの睡眠姿勢を検出するステップと、
所定の望ましくない姿勢、特に仰臥位が検出された場合に前記ユーザに警告を発するステップと、
前記睡眠姿勢トレーナーの不動タイマーにより、睡眠中の前記ユーザの不動の持続時間を計時するステップと、
不動の計時された持続時間を閾値と比較するステップと、
前記少なくとも１つの所定の望ましくない姿勢以外の少なくとも１つの他の姿勢が検出され、不動の前記計時された持続時間が少なくとも１５分の前記閾値を超える場合、前記ユーザに警告を発するステップとを含む、方法。
【手続補正２】
【補正対象書類名】明細書
【補正対象項目名】００９３
【補正方法】変更
【補正の内容】
【００９３】
４．ユーザ睡眠データを格納するための前記メモリは、例えばスマートフォンなどの外部装置に配置され、前記外部装置は、外部に格納された前記ユーザ睡眠データから前記警告基準（ｃ１）及び／又は警告セレクタ（ｓ１）を導出することによって前記睡眠姿勢トレーナーを調整するために前記睡眠姿勢トレーナーに動作可能に接続可能である、項１から３のいずれか一項に記載の睡眠姿勢トレーナー。
【手続補正３】
【補正対象書類名】明細書
【補正対象項目名】００９４
【補正方法】変更
【補正の内容】
【００９４】
５．前記ユーザ睡眠データは、予想される睡眠の質を決定する、個別ユーザの予測データを含み、前記制御ユニットは、前記警告ユニットへの前記出力信号を生成するために前記予測データから前記警告基準及び／又は警告セレクタを導出するようにプログラムされる、項１から４のいずれか一項に記載の睡眠位置トレーナー。
【手続補正４】
【補正対象書類名】明細書
【補正対象項目名】００９５
【補正方法】変更
【補正の内容】
【００９５】
６．前記ユーザ睡眠データは、ベッドパートナーが存在するか否かを決定する、前記個別ユーザのベッドパートナーデータを含む、項１から５のいずれか一項に記載の睡眠姿勢トレーナー。
【手続補正５】
【補正対象書類名】明細書
【補正対象項目名】００９８
【補正方法】変更
【補正の内容】
【００９８】
９．前記睡眠位置トレーナーはベッドパートナーデバイスをさらに含み、前記ベッドパートナーデバイスは、前記ベッドパートナーによって装着され、前記ベッドパートナーデバイスは、
−  少なくとも１つの受信されたデバイス入力信号に基づいてデバイス出力信号を生成するようにプログラムされたデバイス制御プログラムを含むデバイス制御ユニットと、−  睡眠関連イベントを検出するための少なくとも１つのデバイスセンサであって、前記デバイス制御ユニットに動作可能に接続され、デバイスセンサ信号を前記デバイス制御ユニットに提供する、少なくとも１つのデバイスセンサと、
−  ベッドパートナー信号とも呼ばれる前記デバイス出力信号を前記ユーザの前記睡眠姿勢トレーナーに送信するための送信機とを有し、
前記睡眠姿勢トレーナーは、前記ベッドパートナー信号を受信するための受信機を備え、前記睡眠姿勢トレーナーの前記制御ユニットは、受信された前記ベッドパートナー信号に基づいて前記睡眠姿勢トレーナーを制御するようにプログラムされる、項６から８のいずれか一項に記載の睡眠姿勢トレーナー。
【手続補正６】
【補正対象書類名】明細書
【補正対象項目名】０１０６
【補正方法】変更
【補正の内容】
【０１０６】
１７．前記不動タイマー（ｔ１）の前記少なくとも１つの閾値は、以前の閾値の超過によって生成された刺激に対する特定の反応に依存して調整可能である、項１から１６のいずれか一項に記載の睡眠姿勢トレーナー。
【手続補正７】
【補正対象書類名】明細書
【補正対象項目名】０１１０
【補正方法】変更
【補正の内容】
【０１１０】
２１．前記ユーザの不動は、前記姿勢センサ（３４）、特に加速度計によって検出可能である、項１から２０のいずれか一項に記載の睡眠姿勢トレーナー。
【手続補正８】
【補正対象書類名】明細書
【補正対象項目名】０１１１
【補正方法】変更
【補正の内容】
【０１１１】
２２．前記制御ユニット（ＣＵ）は、前記ユーザ睡眠データ（ＵＳＤ）から警告セレクタ（ｓ１）を導出して、前記警告ユニットによって生成される特定の警告刺激を決定するようにプログラムされ、前記警告刺激は、互いに異なる複数の警告刺激（ｆ１、ｆ２）のグループから選択される、項１から２１のいずれか一項に記載の睡眠姿勢トレーナー。
【手続補正９】
【補正対象書類名】明細書
【補正対象項目名】０１１２
【補正方法】変更
【補正の内容】
【０１１２】
２３．前記警告基準（ｃ１）は前記警告セレクタ（ｓ１）と一体的であり、前記選択可能な警告刺激のうちの１つはゼロ強度を有する、項１から２２のいずれか一項に記載の睡眠姿勢トレーナー。
【手続補正１０】
【補正対象書類名】明細書
【補正対象項目名】０１１４
【補正方法】変更
【補正の内容】
【０１１４】
２５．ユーザ睡眠データを格納するための前記メモリは、例えばスマートフォンなどの外部装置に配置され、前記外部装置は、格納された前記ユーザ睡眠データから前記警告基準（ｃ１）及び／又は警告セレクタ（ｓ１）を導出することによって前記睡眠姿勢トレーナーを調整するために前記睡眠姿勢トレーナーに動作可能に接続可能である、項１から２４のいずれか一項に記載の睡眠姿勢トレーナー。
【手続補正１１】
【補正対象書類名】明細書
【補正対象項目名】０１１５
【補正方法】変更
【補正の内容】
【０１１５】
２６．前記センサが高いリスクの睡眠イベント、例えば無呼吸を検出する場合、前記制御ユニットは、他の全てのプログラムを抑えるような支配的なプログラムでプログラムされる、項１から２５のいずれか一項に記載の睡眠姿勢トレーナー。
【手続補正１２】
【補正対象書類名】明細書
【補正対象項目名】０１１６
【補正方法】変更
【補正の内容】
【０１１６】
２７．前記ユーザ睡眠データは、警告刺激を生成する前に許容可能な待機時間を決定する待機データを含む、項１から２６のいずれか一項に記載の睡眠姿勢トレーナー。
【手続補正１３】
【補正対象書類名】明細書
【補正対象項目名】０１１７
【補正方法】変更
【補正の内容】
【０１１７】
２８．睡眠期間中に人に警告を発する方法であって、前記方法は、
−  項１から２７のいずれか一項に記載の睡眠姿勢トレーナーを提供するステップであって、前記睡眠姿勢トレーナーは、前記ユーザの姿勢を検出するための姿勢センサ（３４）を含む睡眠姿勢トレーナーである、ステップと、
−  睡眠中の前記ユーザの睡眠姿勢を検出するステップと、
−  所定の望ましくない姿勢、特に仰臥位が検出された場合に前記ユーザに警告を発するステップと、
−  前記睡眠姿勢トレーナーの不動タイマーにより、睡眠中の前記ユーザの不動の持続時間を計時するステップと、
−  不動の計時された持続時間を閾値と比較するステップと、
−  前記少なくとも１つの所定の望ましくない姿勢以外の少なくとも１つの他の姿勢が検出され、不動の前記計時された持続時間が少なくとも１５分の前記閾値を超える場合、前記ユーザに警告を発するステップとを含む、方法。
【手続補正１４】
【補正対象書類名】明細書
【補正対象項目名】０１２０
【補正方法】変更
【補正の内容】
【０１２０】
３１．前記警告基準は前記警告セレクタ（ｓ１）と一体的であり、前記選択可能な警告刺激（ｃ１）のうちの１つはゼロ強度を有する、項３０に記載の睡眠姿勢トレーナー。３２．ユーザ睡眠データを格納するための前記メモリは、例えばスマートフォンなどの外部装置に配置され、前記外部装置は、格納された前記ユーザ睡眠データから前記警告基準（ｄ）及び／又は警告セレクタ（ｓ１）を導出することによって前記睡眠姿勢トレーナーを調整するために前記睡眠姿勢トレーナーに動作可能に接続可能である、項１から３１のいずれか一項に記載の睡眠姿勢トレーナー。
【手続補正１５】
【補正対象書類名】明細書
【補正対象項目名】０１２３
【補正方法】変更
【補正の内容】
【０１２３】
３５．前記リスクデータは、少なくとも１つの所定の睡眠相について、仰臥位の許容を定める、項１から３４のいずれか一項に記載の睡眠姿勢トレーナー。
【手続補正１６】
【補正対象書類名】明細書
【補正対象項目名】０１２５
【補正方法】変更
【補正の内容】
【０１２５】
３７．前記リスクデータは、特定の睡眠相中の少なくとも２つのタイプの睡眠イベントの検出を表すユーザ睡眠データを含み、前記制御ユニットは、前記少なくとも２つのタイプの睡眠イベントのバランスが取られる特定の睡眠相に関する前記リスクデータから警告基準及び／又は警告セレクタを導出するようにプログラムされる、項１から３６のいずれか一項に記載の睡眠姿勢トレーナー。
【手続補正１７】
【補正対象書類名】明細書
【補正対象項目名】０１２６
【補正方法】変更
【補正の内容】
【０１２６】
３８．前記ユーザ睡眠データは、無呼吸の発生のリスクが高い睡眠期間の睡眠相を決定するリスクデータを含む、項１から３７のいずれか一項に記載の睡眠姿勢トレーナー。
【手続補正１８】
【補正対象書類名】明細書
【補正対象項目名】０１２７
【補正方法】変更
【補正の内容】
【０１２７】
３９．前記睡眠姿勢トレーナーは、警告刺激を生成する前の許容待機期間を決定する待機タイマー及び待機データを備える、項１から３８のいずれか一項に記載の睡眠姿勢トレーナー。
【手続補正１９】
【補正対象書類名】明細書
【補正対象項目名】０１２９
【補正方法】変更
【補正の内容】
【０１２９】
４１．前記ユーザ睡眠データは、前記個別ユーザのいびきデータを含み、
前記制御ユニットは、前記いびきデータから前記警告基準及び／又は警告セレクタを導出して、前記警告ユニットへの前記出力信号を生成するようにプログラムされる、項１から４０のいずれか一項に記載の睡眠姿勢トレーナー。